(57)【要約】ヘアドライヤーは、メインボディ及び出力ユニットを含む。出力ユニットは、導風部材がその中に設けられ、それは直線的な前進空気流を旋回する前進空気流へ変換し得る。さらに、出力ユニットに形成された複数の空気孔を介して外部の空気が出力ユニットに誘引され、メインボディの出口から流出される空気流と混合され、空気の速度、均一性及び透過性を高め、騒音を減らす。
2019502452.tif 000002
【特許請求の範囲】
【請求項１】
ファンユニット、加熱ユニット及び出力ユニットを含み、
前記加熱ユニットは、前記ファンユニットによりそれらの前の前記加熱ユニットを通過する空気流を発生させ得て、ボディ出口から排出される熱風の直線的な前進空気流を形成し、
前記出力ユニットは、前記ボディ出口からハウジング出口まで延び、前記出力ユニットは、外周壁を含み、前記外周壁内の導風部材は、前記ボディ出口からの熱風の直線的な前進空気流を受け、複数の空気孔が前記外周壁に形成され、中間に位置し、前記ボディ及び前記ハウジング出口から離れ、前記導風部材の径方向外側に突出し、外部の空気が前記出力ユニットに誘引され、前記ボディ出口から流出される熱風の前進流と混合されることを特徴とするメインボディを有するヘアドライヤー。
【請求項２】
前記出力ユニットは、後ハウジング及び前ハウジングから構成され、
前記後ハウジングは、アール部及び円錐殻を有し、
前記円錐殻は、前記後ハウジングの前記アール部が第１の後端の入口を形成し、第１の前端に内方環状壁が形成され、前記円錐殻は、前記アール部の前記内方環状壁の内縁から第２の前端に至るまで延び、前記第２の前端にシェル出口が設けられ、前記円錐殻は、前記第２の前端に向かって延びるに従い第１の断面が徐々に縮小し、前記内方環状壁には、前記円錐殻の周りの環状突起が設けられるため、環状表面が前記環状突起の周りに隣接して形成され、
前記前ハウジングは、第３の後端に出力接続部を有し、第３の前端に前記ハウジング出口が形成され、前記前ハウジングの前記出力接続部に開口が形成され、前記前ハウジングは、前記第３の後端から前記第３の前端にかけて延びる第２の断面が徐々に縮小し、前記前ハウジングが前記後ハウジングの前記円錐殻の周りにフィットし、前記出力接続部が前記後ハウジングの前記環状突起にぴったり嵌合して前記後ハウジングの環状表面に当止めされることを特徴とする請求項１に記載のヘアドライヤー。
【請求項３】
前記メインボディは、左シェル、右シェル及び内側ケースを含み、
前記内側ケースは、前記左シェルと前記右シェルとの間に挟まれ、前記内側ケースは、前記ファンユニット及び前記加熱ユニットを取付ける第１の内部空間がその中に形成され、前記左シェルは、前記右シェルと組み合わされてボディ接続部を形成するとともにボディ出口を形成することを特徴とする請求項２に記載のヘアドライヤー。
【請求項４】
第１の環状空間は、前記後ハウジングの前記円錐殻と、前記後ハウジングの前記環状突起との間に形成され、前記後ハウジングは、第２の内部空間がその中に形成され、前記アール部が前記ボディ接続部にぴったり嵌合されて前記メインボディに接続され、前記メインボディの前記ボディ接続部が前記後ハウジングの前記内方環状壁に当止めされることを特徴とする請求項３に記載のヘアドライヤー。
【請求項５】
前記導風部材は、中央共通軸から前記円錐殻にかけて外方へ延びた多数の羽根を有し、各前記羽根は、第１の側縁及び第２の側縁を有し、前記多数の羽根の前記第１の側縁は、前記中央共通軸に位置し、前記第２の側縁は、前記円錐殻に接合され、前記第１の側縁及び前記第２の側縁には、それらの間に捻られた面が設けられ、各前記羽根は、前記後ハウジングの前記シェル出口に対向した前縁と、前記前縁に対向した後縁と、を有し、前記導風部材の前記中央共通軸が、前記メインボディの前記左シェルと前記右シェルとの間に挟まれた前記内側ケースの中央軸と同軸されることを特徴とする請求項３に記載のヘアドライヤー。
【請求項６】
前記導風部材の各前記羽根の前記第２の側縁及び前記後縁は、第１のポイントで交差し、前記導風部材の各前記羽根の前記第２の側縁及び前記前縁は、第２のポイントで交差し、第１のラインは、前記第１のポイントと前記中央共通軸との間に接続されるため、前記第１のラインは、それらの間で最短距離を有し、第２のラインは、前記第２のポイントと前記中央共通軸との間に接続されるため、前記第２のラインは、それらの間で最短距離を有し、前記第１のラインの長さは、前記第２のラインの長さより大きく、前記導風部材の各前記羽根の前記中央共通軸及び前記第２の側縁は、捻られた面がそれらの間に設けられ、前記第１のライン及び前記第２のラインは、前記中央共通軸の方向で見ると、一角度でオフセットされていることを特徴とする請求項５に記載のヘアドライヤー。
【請求項７】
前記後ハウジングの前記シェル出口と、前記後ハウジングの前記環状表面との間の距離はＬ２であり、前記前ハウジングの前記複数の空気孔と、前記前ハウジングの前記開口との間の最大距離はＬ１であり、前記Ｌ２は、前記Ｌ１より大きく、第２の環状空間は、前記後ハウジングと前記前ハウジングとの間に形成され、空気混合領域は、前記後ハウジングの前記シェル出口と、前記前ハウジングの前記ハウジング出口との間に形成されることを特徴とする請求項２に記載のヘアドライヤー。
【請求項８】
前記メインボディは、左シェルと、右シェルと、前記左シェルと前記右シェルとの間に挟まれた内側ケースと、を含み、前記メインボディの前記左シェル及び前記右シェルのそれぞれは、内面と、前記メインボディの前記ボディ出口近くとに半円状凹部を形成し、前記メインボディの前記ボディ出口に半円状突起が設けられ、前記半円状突起と、前記左シェル及び前記右シェルのうちの１つの外面との間にステップが形成されることを特徴とする請求項１に記載のヘアドライヤー。
【請求項９】
前記出力ユニットは、後ハウジング及び前ハウジングから構成され、前記後ハウジングは、アール部と、前記アール部から延びた円錐殻と、を有し、前記導風部材は、前記円錐殻内の捩じれた複数の羽根を有し、前記後ハウジングは、前記メインボディの前記左シェル及び前記右シェルの前記半円状凹部内に前記アール部がフィットされ、前記メインボディの前記左シェル及び前記右シェルに接続され、前記前ハウジングは、前記メインボディの前記左シェル及び前記右シェルの前記半円状突起にぴったり嵌合してステップに接続されることを特徴とする請求項８に記載のヘアドライヤー。
【発明の詳細な説明】
【技術分野】
【０００１】
本発明は、ヘアドライヤーに関し、特に、改良された出力ユニットを有するヘアドライヤーに関する。出力ユニットは、直線的な前進空気流を旋回する前進空気流へ変換する導風部材がその中に提供され、空気の速度、均一性及び透過性を高め、騒音を減らすことができる。
【背景技術】
【０００２】
ヘアドライヤーは、家でよく使用され、簡単な構造を有する。一般に、ヘアドライヤーは、ファンユニット及び加熱ユニットがその中に設けられている。実際に使用する際、ファンユニットは、外部の空気がハウジングに誘引されて前進空気流が発生し、これは次に加熱ユニットにより加熱され、それは最終的に出口から排出され、それは一般に大量の空気を送り出す円形開口である。しかし、このようなタイプのヘアドライヤーにより提供される空気流の強度はやや弱かった。この欠点を緩和するために、直線チャネルを有する出力ユニットがヘアドライヤーに設けられ、これは前進空気流が固有の方向でオブジェクトへ向かって移動するようにする。髪を梳かす際、直進空気流がユーザの髪構造の頂部のみに入るが、髪構造の底部に入ることはない。そのため、ユーザの髪構造の頂部が乾燥して熱くなるが、髪構造の底部は依然として濡れた状態であった。
【０００３】
上記に鑑み、本発明は、従来のヘアドライヤーの欠点を改善するために、改良された出力ユニットを有するヘアドライヤーを提供する。
【発明の概要】
【０００４】
本発明の目的は、ヘアドライヤーのメインボディの出口に出力ユニットを有するヘアドライヤーを提供することにある。出力ユニットは、導風部材がその中に設けられ、それは直線的な前進空気流を旋回する前進空気流へ変換し、空気の速度及び透過性を高め、騒音を減らすことができる。
【０００５】
本発明の特徴は、出力ユニットに形成された複数の空気孔を介して外部の空気が出力ユニットに誘引され、メインボディの出口から流出される空気流と混合され、ユーザに均一な空気流を提供する。
【０００６】
本発明の他の目的、特長及び新規な特徴は、添付した図面を組み合わせると以下の詳細な説明から明らかとなる。
（実施方式）
【０００７】
図１〜図４に示すように、本発明の一実施形態に係るヘアドライヤーは、一般にメインボディ１及び出力ユニット５を含む。メインボディ１は、左シェル１１と、右シェル１２と、左シェル１１と右シェル１２との間に挟まれた内側ケース１５と、から主に構成される。内側ケース１５は、ファンユニット１６及び加熱ユニット１７を取付ける円形断面を有する内部空間１０がその中に形成されている。ファンユニット１６は、元々冷気であった外部の空気を内側ケース１５へ誘引し、空気流９１を発生させる。加熱ユニット１７は、ファンユニット１６により発生された冷気流を加熱して直線的な前進熱空気流を形成してメインボディ１の出口１３から流出させる。ファンユニット１６及び加熱ユニット１７はヘアドライヤーで一般に使用される要素であるため、それらは図３のブロックのみに示されている。左シェル１１と右シェル１２とを組み合わせた後、メインボディ１は、前端１８において接続部１４を形成し、それには出口１３が設けられる。空気孔（図示せず）を有する後方キャップ３は、メインボディ１の後端１９に設けられる。メインボディ１は、前端１８と後端１９との間に設けられて左部２１及び右部２２により構成されたハンドル２を有する。本発明の主な特徴は、メインボディ１が、出口１３に出力ユニット５を有するため、熱風の直線的な前進気流が熱風の旋回する前進気流に変換することができる点にある。さらに、出力ユニット５は、加熱ユニット１７により加熱された空気流９１を、周囲環境からの下流冷気流９０（冷気）と混合させる。そのため、ヘアドライヤーは、空気の速度、透過性及び均一性を高め、騒音を減らすことができる。髪を整える際、本発明のヘアドライヤーが提供する気流が直線的な前進気流でなく旋回する前進気流であり、ユーザの髪構造の頂部を透過し、髪構造の底部に容易に達するため、ユーザの髪を速やかに乾かすことができる。さらに、空気流９１は、加熱され、周囲環境から誘引された下流冷気流９０と混合され、従来のヘアドライヤーにより提供される熱くて乾燥した気流ではなく、ユーザに適した温かい気流を得ることができる。
【０００８】
第１実施形態において、出力ユニット５は、後ハウジング６及び前ハウジング８から構成されてなる。図４及び図５に示すように、後ハウジング６は、アール部６１及び円錐殻６６を有する。アール部６１は、後端に入口６２が設けられ、前端に内方環状壁６９が形成される（図３を参照する）。円錐殻６６は、アール部６１の内方環状壁６９の内縁から延び、その前端に出口６７が形成される。円錐殻６６は、その前端に向かって延びるに従い、断面が徐々に縮小する。内方環状壁６９には、円錐殻６６の周りに環状突起６３が設けられ、環状突起６３の外径は、アール部６１の外径より小さいため、環状表面６４が環状突起６３とその周りに形成される。第１の環状空間６５は、環状突起６３と円錐殻６６との間に形成される。後ハウジング６は、内部空間６８がその中に形成される。内方環状壁６９は、アール部６１と円錐殻６６との間に位置する。後ハウジング６は、そのアール部６１がメインボディ１の接続部１４にぴったり嵌合され、メインボディ１に接続されてもよい。即ち、メインボディ１の接続部１４がアール部６１の入口６２に挿入され、メインボディ１の接続部１４が後ハウジング６の内方環状壁６９に当止される。導風部材７は、後ハウジング６の内部空間６８に設けられる。導風部材７は、中央共通軸７０から円錐殻６６にかけて外方へ延びた多数の羽根を有する。各羽根は、円錐殻６６に接合される側縁７２を有する。各羽根は、後ハウジング６の出口６７に対向した前縁７４と、前縁７４に対向した後縁７３と、を有する（例えば、後縁７３は、メインボディ１の出口１３に対向する）。導風部材７の中央共通軸７０は、メインボディ１の左シェル１１と右シェル１２との間に設けられた内側ケース１５の中心軸（Ｘ）と同軸である。導風部材７の各羽根の側縁７２及び後縁７３が第１のポイント７３１と交差し、導風部材７の各羽根の側縁７２及び前縁７４が第２のポイント７４１と交差する。第１の線（Ｘ１）は、第１のポイント７３１と中央共通軸７０との間に接続されるため、第１の線Ｘ１は、第１のポイント７３１と中央共通軸７０との間の最短距離を有する。即ち、第１の線（Ｘ１）は、中央共通軸７０に対して垂直である。第２の線（Ｘ２）は、第２のポイント７４１と中央共通軸７０との間に接続されるため、第２の線（Ｘ２）は、第２のポイント７４１と中央共通軸７０との間の最短距離を有する。即ち、第２の線（Ｘ２）は、中央共通軸７０に対して垂直である。第１の線（Ｘ１）の長さは、第２の線（Ｘ２）の長さより大きい。そのため、導風部材７の各羽根の中央共通軸７０及び側縁７２には、それらの間に捻られた面が設けられる。さらに、第１の線（Ｘ１）及び第２の線（Ｘ２）は、中央共通軸７０の方向で見ると、一角度（θ）でオフセットされている。即ち、前縁７４は、一般に角度（θ）で後縁７３により捻られている。
【０００９】
前ハウジング８は、後端に接続部８１を有し、前端部８３に出口８４が設けられ、その外周壁に複数の空気孔８５が形成される。前ハウジング８の接続部８１には、開口８２が形成され、前ハウジング８は、その後端からその前端にかけて延びるにつれて断面が徐々に縮小する。前ハウジング８は、円錐殻６６より直径が大きく、後ハウジング６の円錐殻６６の周りにフィットし、その接続部８１が後ハウジング６の環状突起６３にぴったり嵌合し、後ハウジング６の環状表面６４に当止される。図３に示すように、前ハウジング８の後端に形成された空気孔８５と開口８２との間の最大距離は（Ｌ１）で示される。後ハウジング６の出口６７と後ハウジング６の環状表面６４との距離は（Ｌ２）で示され、それは前ハウジング８が後ハウジング６に接続された後の出口６７と開口８２との間の距離でもあり、距離（Ｌ２）は、距離（Ｌ１）より大きい。後ハウジング６の直径は、前ハウジング８より小さいため、それらの間に第２の環状空間９２が形成される（図３及び図７を参照する）。図示するように、下流冷気流９０は、空気孔８５を介して第２の環状空間９２に誘引される。周囲環境からの下流冷気流９０は、後ハウジング６の円錐殻６６の前端を通過し、前ハウジング８の出口８４へ向かって移動する。図３及び図７に示す。後ハウジング６の出口６７と前ハウジング８の出口８４との間の空間は、空気混合領域９３として作用し、加熱された空気流９１は、下流冷気流９０と混合して温かい気流を得て、加熱された空気流９１より熱くないため、ヘアドライヤーから提供された空気流をユーザは快適に感じることができる。さらに、導風部材７の捩じれた羽根は、直線的な前進空気流９１を旋回する前進空気流が前ハウジング８の出口８４から流出されるため（図２及び図３を参照する）、ヘアドライヤーにより提供された空気流が、ユーザの髪構造を透過し、ユーザは髪を容易に整えて乾かすことができる。
【００１０】
図８、図９及び図１０は、本発明の出力ユニットの第２実施形態を示す。後ハウジング４０は、アール部４１と、アール部４１から延びた円錐殻４２と、を有し、円錐殻４２内の多数の捩じれた羽根を有する導風部材４３を提供する。メインボディ１の左シェル１１及び右シェル１２は、それらの内面に、メインボディ１の出口１３近くに半円状凹部１１０，１２０がそれぞれ設けられる。メインボディ１の左シェル１１及び右シェル１２は、メインボディ１の前端１８にそれぞれ設けられ、半円状突起１１１，１２１は、メインボディ１の外周壁より小さい外径を有するため、半円状突起１１１，１２１の周りでステップ１１２，１２２が形成される。後ハウジング４０のアール部４１は、半円状凹部１１０，１２０内にフィットされるため、後ハウジング４０がメインボディ１に接続される。前ハウジング４４は、前ハウジング８と形状が異なる。しかし、２つの実施形態の両方のハウジングは、一般に同じ構造的特徴を有する。前ハウジング４４は、後端に開口４６と、前端４７に出口４８と、が形成される接続部４５を有する。第１実施形態に類似し、前ハウジング４４に形成された複数の空気孔４９を介し、外気が前ハウジング４４の内部に誘引される。前ハウジング４４は、メインボディ１の左シェル１１及び右シェル１２の半円状突起１１１，１２１にぴったり嵌合され、メインボディ１の左シェル１１及び右シェル１２のステップ１１２，１２２に接触される。
【００１１】
要約として、本発明の出力ユニット５は、空気の速度、均一性及び透過性を高め、騒音を減らすことができる。本発明により提供される空気出力は、直線的な前進空気流でなく旋回する前進空気流であり、言い換えれば、出力ユニット５から流出した空気流は、まず、旋回してユーザの髪構造の頂部を透過し、髪構造の底部に容易に入るため、ユーザの髪を速やかに乾かすことができる。さらに、加熱された空気流９１が周囲環境からの下流冷気流と混合されるため、本発明の空気出力は乾燥して熱くなりにくい。本発明が提供する熱風が少なくなれば、ユーザにとってより適したものとなる。
【図面の簡単な説明】
【００１２】
【図１】図１は、本発明の一実施形態に係る出力ユニットを有するヘアドライヤーを示す分解斜視図である。
【図２】図２は、ヘアドライヤーの３次元ビューを示す。
【図３】図３は、ヘアドライヤーの断面図を示す。
【図４】図４は、後ハウジング及び前ハウジングで構成される第１実施形態の出力ユニットを示す分解斜視図である。
【図５】図５は、出力ユニットの第１実施形態の後ハウジングの３次元ビューを示す。
【図６】図６は、出力ユニットの第１実施形態の後ハウジングの平面図を示す。
【図７】図７は、出力ユニットの第１実施形態の断面斜視図を示す。
【図８】図８は、出力ユニットの第２実施形態の分解斜視図を示す。
【図９】図９は、出力ユニットの第２実施形態の３次元ビューを示す。
【図１０】図１０は、出力ユニットの第２実施形態の断面図を示す。
【符号の説明】
【００１３】
１  メインボディ
２  ハンドル
３  後方キャップ
５  出力ユニット
６  後ハウジング
７  導風部材
８  前ハウジング
１０  内部空間
１１  左シェル
１２  右シェル
１３  出口
１４  接続部
１５  内側ケース
１６  ファンユニット
１７  加熱ユニット
１８  前端
１９  後端
２１  左部
２２  右部
４０  後ハウジング
４１  アール部
４２  円錐殻
４３  導風部材
４４  前ハウジング
４５  接続部
４６  開口
４７  前端
４８  出口
４９  空気孔
６１  アール部
６２  入口
６３  環状突起
６４  環状表面
６５  第１の環状空間
６６  円錐殻
６７  出口
６８  内部空間
６９  内方環状壁
７０  中央共通軸
７２  側縁
７３  後縁
７４  前縁
８１  接続部
８２  開口
８３  前端部
８４  出口
８５  空気孔
９０  下流冷気流
９１  空気流
９２  第２の環状空間
９３  空気混合領域
１１０  半円状凹部
１１１  半円状突起
１１２  ステップ
１２０  半円状凹部
１２１  半円状突起
１２２  ステップ
７３１  第１のポイント
７４１  第２のポイント
【図１】
2019502452.tif 000003
【図２】
2019502452.tif 000004
【図３】
2019502452.tif 000005
【図４】
2019502452.tif 000006
【図５】
2019502452.tif 000007
【図６】
2019502452.tif 000008
【図７】
2019502452.tif 000009
【図８】
2019502452.tif 000010
【図９】
2019502452.tif 000011
【図１０】
2019502452.tif 000012
【国際調査報告】
2019502452.tif 000013
2019502452.tif 000014
2019502452.tif 000015
2019502452.tif 000016